(57)【要約】      （修正有）【課題】コードやイヤフォンを夫々の収納溝に収容することで、コードの過度の湾曲や接続端子の摩擦によるトラブルの恐れを少なくできるようにした、イヤフォンホルダーを提供する。【解決手段】第１面と第２面とを有する本体１０と、間隔を置いて前記本体の外周壁に凸設される第１突出部２１と、第２突出部２２と、第３突出部２３と、前記第１突出部と第２突出部との間、前記第２突出部と第３突出部との間に夫々形成される上部コード溝３１と、下部コード溝３２と、本体の第１面に凹設される２つの収容溝４１と、第２面に凹設される端子溝と、前記２つの収容溝の間に位置する中間溝４３と、前記上部コード溝と連通されるリモートコントローラー溝４４とを備える。さらに、前記第１突出部の側辺に凹設される２つの第１スリット５１と、前記第２突出部の側辺に凹設される少なくとも１つの第２スリット５２と、前記第３突出部の側辺に凹設される少なくとも１つの第３スリット５３と、を設ける。【選択図】図１
0003174142.tif 000002
【実用新案登録請求の範囲】
【請求項１】
反対側に位置する第１面と第２面とを有する本体と、
前記本体の外周壁に凸設される第１突出部と、
前記本体の外周壁に凸設される第２突出部と、
前記本体の外周壁に凸設される第３突出部と、
前記本体の外周壁における前記第１突出部と第２突出部との間に形成される上部コード溝と、
前記本体の外周壁における前記第２突出部と第３突出部との間に形成される下部コード溝と、
前記本体の第１面に凹設される２つの収容溝と、
前記本体の第２面に凹設される端子溝と、
前記本体の第１面に凹設され、前記第１突出部の反対側の２つの側辺を貫通すると共に、前記２つの収容溝の間に位置する中間溝と、
前記本体の外周壁に凹設されると共に、前記上部コード溝と連通されるリモートコントローラー溝と、
前記第１突出部の側辺に前記本体まで凹設されると共に、夫々前記２つの収容溝に連通される２つの第１スリットと、
前記第２突出部の側辺に凹設される少なくとも１つの第２スリットと、
前記第３突出部の側辺に前記本体まで凹設されると共に、前記端子溝に連通される少なくとも１つの第３スリットと、
を具備し、
前記第１突出部、第２突出部、及び第３突出部は、間隔を置いて前記本体の外周壁に凸設され、
前記第２突出部は、前記第１突出部と第３突出部との間に位置することを特徴とするイヤフォンホルダー。
【請求項２】
前記本体は四方体であり、
前記本体の上面及び底面は、夫々前記本体の第１面及び第２面とされ、
前記本体の外周壁の４つの側辺は、丸コーナー形状を呈することを特徴とする請求項１に記載のイヤフォンホルダー。
【請求項３】
前記第１突出部、第２突出部、及び第３突出部は、互いに平行なものであることを特徴とする請求項１又は請求項２に記載のイヤフォンホルダー。
【請求項４】
前記第１突出部、第２突出部、及び第３突出部は、外周縁が同一平面上に位置するように前記本体の外周壁から延出されることを特徴とする請求項１または請求項２に記載のイヤフォンホルダー。
【請求項５】
前記第１突出部、第２突出部、及び第３突出部は、外周縁が同一平面上に位置するように前記本体の外周壁から延出されることを特徴とする請求項３に記載のイヤフォンホルダー。
【請求項６】
前記２つの収容溝は互いに対応するように配置されることを特徴とする請求項１または請求項２に記載のイヤフォンホルダー。
【請求項７】
前記２つの収容溝は互いに対応するように配置されることを特徴とする請求項５に記載のイヤフォンホルダー。
【請求項８】
２つの第２スリットを有することを特徴とする請求項１または請求項２に記載のイヤフォンホルダー。
【請求項９】
２つの第２スリットを有することを特徴とする請求項７に記載のイヤフォンホルダー。
【請求項１０】
２つの第３スリットを有することを特徴とする請求項９に記載のイヤフォンホルダー。
【考案の詳細な説明】
【技術分野】
【０００１】
本考案は、特にイヤフォンを便利に収容するイヤフォンホルダーに関するものである。
【背景技術】
【０００２】
音声出力装置として広く用いられるイヤフォンは、両耳に配置される２つのイヤピースと、再生装置に接続される接続端子と、一端が前記出力部材に連結される共に、他端が前記接続端子に連結されるコードとを有し、再生装置からの信号を、音声に変換し出力するものである。
【０００３】
また、イヤフォンに取り付けられる、再生装置に触らずに音量調節や曲目選択を行う機能を有するリモートコントローラーは、前記コードに設けられ、コードをイヤピースからリモートコントローラーまで、並びにリモートコントローラーから接続端子までといった２つの部分に分ける。
【考案の概要】
【考案が解決しようとする課題】
【０００４】
しかしながら、不使用の時に、イヤフォンを随意にカバンやポケットに収納すると、コードを過度に湾曲させ、内部の銅線などの部材の損害により、イヤフォンが故障となることに至る場合がある。コードとイヤピースまたは接続端子との連結部は、特に過度の湾曲に弱いものである。また、前記接続端子と他のものとの頻繁の摩擦による摩耗も、イヤフォンの故障に繋がる。
【０００５】
そこで、案出されたのが本考案であって、上述したイヤフォンを収納する時の例えばコードの過度の湾曲及び接続端子の摩耗による問題を解決し、イヤフォンを便利に収容することができるイヤフォンホルダーを提供することを目的としている。
【課題を解決するための手段】
【０００６】
本願の請求項１の考案は、反対側に位置する第１面と第２面とを有する本体と、
前記本体の外周壁に凸設される第１突出部と、
前記本体の外周壁に凸設される第２突出部と、
前記本体の外周壁に凸設される第３突出部と、
前記本体の外周壁における前記第１突出部と第２突出部との間に形成される上部コード溝と、
前記本体の外周壁における前記第２突出部と第３突出部との間に形成される下部コード溝と、
前記本体の第１面に凹設される２つの収容溝と、
前記本体の第２面に凹設される端子溝と、
前記本体の第１面に凹設され、前記第１突出部の反対側の２つの側辺を貫通すると共に、前記２つの収容溝の間に位置する中間溝と、
前記本体の外周壁に凹設されると共に、前記上部コード溝と連通されるリモートコントローラー溝と、
前記第１突出部の側辺に前記本体まで凹設されると共に、夫々前記２つの収容溝に連通される２つの第１スリットと、
前記第２突出部の側辺に凹設される少なくとも１つの第２スリットと、
前記第３突出部の側辺に前記本体まで凹設されると共に、前記端子溝に連通される少なくとも１つの第３スリットと、
を具備し、
前記第１突出部、第２突出部、及び第３突出部は、間隔を置いて前記本体の外周壁に凸設され、
前記第２突出部は、前記第１突出部と第３突出部との間に位置することを特徴とするイヤフォンホルダー、を提供する。
【０００７】
本願の請求項２の考案は、前記本体は四方体であり、
前記本体の上面及び底面は、夫々前記本体の第１面及び第２面とされ、
前記本体の外周壁の４つの側辺は、丸コーナー形状を呈することを特徴とする請求項１に記載のイヤフォンホルダー、を提供する。
【０００８】
本願の請求項３の考案は、前記第１突出部、第２突出部、及び第３突出部は、互いに平行なものであることを特徴とする請求項１又は請求項２に記載のイヤフォンホルダー、を提供する。
【０００９】
本願の請求項４の考案は、前記第１突出部、第２突出部、及び第３突出部は、外周縁が同一平面上に位置するように前記本体の外周壁から延出されることを特徴とする請求項１または請求項２に記載のイヤフォンホルダー、を提供する。
【００１０】
本願の請求項５の考案は、前記第１突出部、第２突出部、及び第３突出部は、外周縁が同一平面上に位置するように前記本体の外周壁から延出されることを特徴とする請求項３に記載のイヤフォンホルダー、を提供する。
【００１１】
本願の請求項６の考案は、前記２つの収容溝は互いに対応するように配置されることを特徴とする請求項１または請求項２に記載のイヤフォンホルダー、を提供する。
【００１２】
本願の請求項７の考案は、前記２つの収容溝は互いに対応するように配置されることを特徴とする請求項５に記載のイヤフォンホルダー、を提供する。
【００１３】
本願の請求項８の考案は、２つの第２スリットを有することを特徴とする請求項１または請求項２に記載のイヤフォンホルダー、を提供する。
【００１４】
本願の請求項９の考案は、２つの第２スリットを有することを特徴とする請求項７に記載のイヤフォンホルダー、を提供する。
【００１５】
本願の請求項１０の考案は、２つの第３スリットを有することを特徴とする請求項９に記載のイヤフォンホルダー、を提供する。
【考案の効果】
【００１６】
本考案は上記の課題を解決するものであり、イヤフォンのイヤピースを夫々収容溝に収容し、イヤピースに連結されたコードを準じに第１スリット、中間溝を通し、上部コード溝に巻き付けてから、リモートコントローラーをリモートコントローラー溝に収容する。また、コードのリモートコントローラーから接続端子までの部分をさらに第２スリットを通し、下部コード溝にに巻き付け、接続端子をさらに端子溝に収容することから、過度に湾曲させないようにコードを整理し、イヤピース及び接続端子との摩擦を防ぐために保護することができる。
【図面の簡単な説明】
【００１７】
【図１】本考案に係るイヤフォンホルダーの斜視図である。
【図２】本考案に係るイヤフォンホルダーの他の斜視図である。
【図３】本考案に係るイヤフォンホルダーの部分断面斜視図である。
【図４】本考案に係るイヤフォンホルダーの他の部分断面斜視図である。
【図５】本考案に係るイヤフォンホルダーの使用状態を示す斜視図である。
【図６】本考案に係るイヤフォンホルダーの使用状態を示す斜視図である。
【図７】本考案に係るイヤフォンホルダーの使用状態を示す斜視図である。
【図８】本考案に係るイヤフォンホルダーの使用状態を示す斜視図である。
【図９】本考案に係るイヤフォンホルダーの使用状態を示す斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１９】
図１及び図２に示すように、本考案のイヤフォンホルダーは、本体１０と、第１突出部２１と、第２突出部２２と、第３突出部２３と、上部コード溝３１と、下部コード溝３２と、２つの収容溝４１と、端子溝４２と、中間溝４３と、リモートコントローラー溝４４と、２つの第１スリット５１と、２つの第２スリット５２と、２つの第３スリット５３とを具備する。
【００２０】
図１乃至図４に示すように、前記本体１０は、外周壁の４つの側辺１１が丸コーナー形状を呈する四方体である。前記本体１０の上面及び底面は、夫々前記本体１０の第１面及び第２面とする。
【００２１】
前記第１突出部２１、第２突出部２２、及び第３突出部２３は、互いに平行に間隔を置いて前記本体１０の外周壁に凸設され、前記第２突出部２２は、前記第１突出部２１と第３突出部２３との間に位置し、外周縁が同一平面上に位置するように前記本体１０の外周壁から延出される。また、前記第１突出部２１は前記本体１０の第１面と同一平面に位置し、前記第３突出部２３は前記本体１０の第２面と同一平面に位置する。
【００２２】
前記上部コード溝３１は前記本体１０の外周壁における前記第１突出部２１と第２突出部２２との間に形成され、前記下部コード溝３２は前記本体１０の外周壁における前記第２突出部２２と第３突出部２３との間に形成される。
【００２３】
前記２つの収容溝４１は互いに対応するように前記本体１０の第１面に凹設され、前記端子溝４２は前記本体１０の第２面に凹設されると共に、前記中間溝４３は前記本体１０の第１面に凹設され、前記第１突出部２１の反対側の２つの側辺を貫通すると共に、前記２つの収容溝４１の間に位置する。また、前記リモートコントローラー溝４４は、前記本体１０の外周壁における前面に凹設されると共に、前記上部コード溝３１と連通される。
【００２４】
前記２つの第１スリット５１は、間隔を置いて前記第１突出部２１の前方の側辺に前記本体１０まで凹設されると共に、夫々前記２つの収容溝４１に連通される。前記２つの第２スリット５２は、間隔を置いて前記第２突出部２２の前方の側辺に前記本体１０まで凹設されると共に、夫々前記２つの収容溝４１に連通される。前記２つの第３スリット５３は、間隔を置いて前記第３突出部２３の両側の側辺に前記本体１０まで凹設されると共に、夫々前記２つの端子溝４２に連通される。
【００２５】
本考案のイヤフォンホルダーを以下のステップに従って使用することができる：
ステップ１：図５に示すように、イヤフォン６０の２つのイヤピース６１を夫々前記２つの収容溝４１に収容する。
【００２６】
ステップ２：図６に示すように、イヤピース６１に接続されるコードの分岐部６２を夫々２つの第１スリット５１を通し、内側へ前記コードの分岐部６２を合流させてから、前記中間溝４３を通し、後側へ送り出す。
【００２７】
ステップ３：図７に示すように、合流された前記コードの分岐部６２を前記上部コード溝３１に一周巻き付け、リモートコントローラー６３を本体１０の前方のリモートコントローラー溝４４に収容してから、コードのリモートコントローラー６３から接続端子６５までの合流部６４を前記第２スリット５２を通し、前記下部コード溝３２へ到達させる。
【００２８】
ステップ４：図８に示すように、コードの合流部６４を前記下部コード溝３２に一周巻き付ける。
【００２９】
ステップ５：図９に示すように、コードの合流部６４を前記第３スリット５３を通し、前記端子溝４２まで延出させ、接続端子６５を前記端子溝４２に収容する。
【００３０】
上述したステップにより、過度の湾曲を防止するようにイヤフォン６０のコード６２，６４を有効に整理すると共に、他のものとの摩擦による損害を防ぐために前記イヤピース６１、リモートコントローラー６３及び接続端子６５を収容することができる。
【００３１】
図１、図２及び図７に示すように、上述したとおり、本体１０外周壁の４つの側辺１１が丸コーナー形状を呈するので、前記コード６２，６４を過度の湾曲による損害を防止しながら、前記上部コード溝３１及び前記下部コード溝３２に巻き付けることができる。
【００３２】
また、本考案のイヤフォンホルダーの他の実施例において、上述したステップと左右反対の方向に沿ってコード６２，６４を巻き付けても良い。即ち、コードの分岐部６２を他の第２スリット５２を通し、下部コード溝３２に延出させると共に、コードの合流部６４を他の第３スリット５３を通して端子溝４２まで延出させても構わない。
【００３３】
さらに、２つの第２スリット５２及び２つの第３スリット５３を設けることにより、上述した通り左右反対の方向でコード６２，６４を巻き付けることを可能にすることができるのみならず、異なる長さの合流部６４を有するコードを何れの第２スリット５２を通して下部コード溝３２へ、又は何れの第３スリット５３を通して端子溝４２へ延出させても良い。
【産業上の利用可能性】
【００３４】
本考案は上記の構成を有するので、イヤフォンの収納に係るコードの過度の湾曲及び接続端子の摩耗による問題を解決し、イヤフォンを便利に収容するイヤフォンホルダーを提供することができる。
【符号の説明】
【００３５】
１０  本体
１１  側辺
２１  突出部
２２  突出部
２３  突出部
３１  上部コード溝
３２  下部コード溝
４１  収容溝
４２  端子溝
４３  中間溝
４４  リモートコントローラー溝
５１  スリット
５２  スリット
５３  スリット
【図１】
0003174142.tif 000003
【図２】
0003174142.tif 000004
【図３】
0003174142.tif 000005
【図４】
0003174142.tif 000006
【図５】
0003174142.tif 000007
【図６】
0003174142.tif 000008
【図７】
0003174142.tif 000009
【図８】
0003174142.tif 000010
【図９】
0003174142.tif 000011